(57)【要約】      （修正有）【課題】浮腫を取り除き、筋肉を持ち上げたり引き締めたりする効果を達成する美容機器を提供する。【解決手段】ハウジングを含む微小電流に基づく美容機器であって、ハウジング内に電源モジュール２０と回路基板３０が取り付けられ、回路基板に微小電流発生回路が設けられ、ハウジングにスイッチボタン５０と導電性シート６０が設けられ、電源モジュールは微小電流発生回路に電気的に接続され、回路基板には、微小電流発生回路に電気的に接続された導電性部材７０が取り付けられ、導電性部材の下端は、ハウジングを貫通して導電性弾性部材８０に接続され、導電性弾性部材は、導電性シートに密接に接触している。微小電流発生回路により発生された微小電流は、導電性部材を経て、導電性弾性部材を介して導電性シートに伝達され、皮膚に作用し、特に顔面の皮膚の場合、筋肉とリンパを刺激して筋肉を収縮させる。【選択図】図７
0003230430.tif 000002
【実用新案登録請求の範囲】
【請求項１】
ハウジング（１０）を含み、前記ハウジング（１０）内には、電源モジュール（２０）と回路基板（３０）が取り付けられ、前記回路基板（３０）には、微小電流発生回路（４０）が設けられ、前記ハウジング（１０）には、スイッチボタン（５０）及び皮膚に直接接触するための導電性シート（６０）が設けられ、前記電源モジュール（２０）は、微小電流発生回路（４０）に電気的に接続され、前記回路基板（３０）には、微小電流発生回路（４０）に電気的に接続された導電性部材（７０）が取り付けられ、前記導電性部材（７０）の下端は、ハウジング（１０）を貫通して配置された導電性弾性部材（８０）に接続され、前記導電性弾性部材（８０）は、導電性シート（６０）に密接に接触していることを特徴とする微小電流に基づく美容機器。
【請求項２】
前記ハウジング（１０）の外側に取り付けられた支持板（９０）をさらに含み、前記導電性シート（６０）は、支持板（９０）に取り外し可能に取り付けられ、導電性シート（６０）から離れた前記支持板（９０）の側面には、回路基板（３０）を支持するための支持スリーブ（９１）が設けられ、前記支持スリーブ（９１）は、ハウジング（１０）内に挿入設けられ、前記導電性部材（７０）と導電性弾性部材（８０）は、嵌合して支持スリーブ（９１）内に貫通設けられることを特徴とする請求項１に記載の微小電流に基づく美容機器。
【請求項３】
前記回路基板（３０）には、外部制御ユニットと無線接続するための信号送受信モジュール（１００）がさらに設けられ、前記信号送受信モジュール（１００）は、電源モジュール（２０）と微小電流発生回路（４０）にそれぞれ電気的に接続され、
前記信号送受信モジュール（１００）は、外部制御ユニットから制御信号を受信して微小電流発生回路（４０）を制御し、
前記回路基板（３０）には、充電シンブル（１１０）が取り付けられ、前記ハウジング（１０）には、充電ポート（１０ａ）が設けられ、前記充電シンブル（１１０）は、充電ポート（１０ａ）に嵌合して設けられることを特徴とする請求項１又は２に記載の微小電流に基づく美容機器。
【請求項４】
前記ハウジング（１０）には、防水構造（１２０）が設けられ、
前記ハウジング（１０）は、取り外し可能に接続された上部ハウジング（１１）と下部ハウジング（１２）を含み、前記導電性シート（６０）は、上部ハウジング（１１）に取り付けられ、前記スイッチボタン（５０）は、下部ハウジング（１２）に移動可能に取り付けられ、
前記下部ハウジング（１２）には、ボトムカバー（１３）が設けられ、
前記電源モジュール（２０）は、回路基板（３０）の下方に位置しており、前記上部ハウジング（１１）と電源モジュール（２０）との間には、金属板（１３０）が設けられ、
前記回路基板（３０）と下部ハウジング（１２）との間には、緩衝構造（１４０）が設けられることを特徴とする請求項２又は３に記載の微小電流に基づく美容機器。
【請求項５】
前記支持スリーブ（９１）内には、制限階段が設けられ、前記導電性弾性部材（８０）は、制限階段に嵌合し、且つ制限階段に制限されることを特徴とする請求項２に記載の微小電流に基づく美容機器。
【請求項６】
前記防水構造（１２０）は、防水ゴムパッドを含み、前記緩衝構造（１４０）は、シーリングリング及びシーリングリングに配置された緩衝リブを含み、前記防水ゴムパッドの一側は、シーリングリングに接続され、前記防水ゴムパッドの他側は、緩衝リブを介してシーリングリングに接続されることを特徴とする請求項４に記載の微小電流に基づく美容機器。
【考案の詳細な説明】
【技術分野】
【０００１】
本考案は、皮膚美容機器の技術分野に関し、特に、微小電流に基づく美容機器に関する。
【背景技術】
【０００２】
微小電流による美容法は、人体に微弱な電流を導入して人体の電磁界を刺激することで元の神経と器官を復元することにより、人体の新陳代謝を改善し、損傷した細胞を修復するという目的を達成する新しい美容法である。
【考案の概要】
【考案が解決しようとする課題】
【０００３】
従来の微小電流美容装置は、一般的に金属導電性ヘッド又は導電性シリカゲルシートを採用して人体の皮膚に直接接触させる。金属導電性ヘッドは導電性能が良く、且つ使用中に自由に移動できるが、柔らかさが悪いため、皮膚の表面との接触面が小さくなり、ユーザー体験が悪くなる。導電性シリカゲルシートは比較的柔らかいので皮膚によく密着できるが、皮膚に貼り付けられる必要があって快適度が悪く、且つ自由に移動できない。
【考案を解決するための手段】
【０００４】
上記技術的欠陥を解決するために、本考案が採用する技術的解決手段は以下のとおりである。ハウジングを含む微小電流に基づく美容機器を提供し、前記ハウジング内には電源モジュールと回路基板が取り付けられ、前記回路基板には微小電流発生回路が設けられ、前記ハウジングにはスイッチボタン及び皮膚に直接接触するための導電性シートが設けられ、前記電源モジュールは微小電流発生回路に電気的に接続され、前記回路基板には微小電流発生回路に電気的に接続された導電性部材が取り付けられ、前記導電性部材の下端はハウジングを貫通して配置された導電性弾性部材に接続され、前記導電性弾性部材は導電性シートに密接に接触している。
【０００５】
さらに、前記ハウジングの外側に取り付けられた支持板をさらに含み、前記導電性シートは支持板に取り外し可能に取り付けられ、導電性シートから離れた前記支持板の側面には回路基板を支持するための支持スリーブが設けられ、前記支持スリーブはハウジング内に挿入設けられ、前記導電性部材と導電性弾性部材は嵌合して支持スリーブ内に貫通設けられる。
【０００６】
さらに、前記回路基板には外部制御ユニットと無線接続するための信号送受信モジュールがさらに設けられ、前記信号送受信モジュールは電源モジュールと微小電流発生回路にそれぞれ電気的に接続され、前記信号送受信モジュールは外部制御ユニットから制御信号を受信して微小電流発生回路を制御する。
【０００７】
前記回路基板には充電シンブルが取り付けられ、前記ハウジングには充電ポートが設けられ、前記充電シンブルは充電ポートに嵌合して設けられる。
【０００８】
さらに、前記ハウジングには防水構造が設けられる。
【０００９】
前記ハウジングは取り外し可能に接続された上部ハウジングと下部ハウジングを含み、前記導電性シートは上部ハウジングに取り付けられ、前記スイッチボタンは下部ハウジングに移動可能に取り付けられる。
【００１０】
前記下部ハウジングにはボトムカバーが設けられる。
【００１１】
前記電源モジュールは回路基板の下方に位置しており、前記上部ハウジングと電源モジュールとの間には金属板が設けられる。
【００１２】
前記回路基板と下部ハウジングとの間には緩衝構造が設けられる。
【００１３】
さらに、前記支持スリーブ内には制限階段が設けられ、前記導電性弾性部材は制限階段に嵌合し、且つ制限階段に制限される。
【００１４】
さらに、前記防水構造は防水ゴムパッドを含み、前記緩衝構造はシーリングリング及びシーリングリングに配置された緩衝リブを含み、前記防水ゴムパッドの一側はシーリングリングに接続され、前記防水ゴムパッドの他側は緩衝リブを介してシーリングリングに接続される。
【考案の効果】
【００１５】
従来の技術と比較して、本考案の技術的解決手段の有益な効果は以下のとおりである。
【００１６】
本考案が提供する微小電流に基づく美容機器が微小電流発生回路により発生した微小電流は、導電性部材を経て、導電性弾性部材を介して導電性シートに伝達され、且つ皮膚に作用し、特に顔面の皮膚の場合、微小電流を利用して筋肉とリンパを刺激することにより筋肉を収縮させると、浮腫を取り除き、持ち上げたり引き締めたりする効果を達成することができると同時に、導電性部材と導電性シートを導電性弾性部材で接続することにより、導電性部材が導電性シートに直接接触することで導電性シートの一部が膨らんで皮膚に密着できないことをもたらすという問題を避けることができるので、快適度が良いと同時に一定の耐衝撃効果があり、構造の複雑さが低くて体積が小さい。  
【００１７】
本考案の実施例における技術的解決手段をより明確に説明するために、以下に実施例の説明に必要な図面を簡単に説明する。明らかに、以下の説明図面は本考案のいくつかの実施例にすぎず、当業者であれば、創造的な労力を要することなくこれらの図面に基づいて他の図面に想到しうる。
【図面の簡単な説明】
【００１８】
【図１】本考案の実施例が提供する微小電流に基づく美容機器の一実施例の斜視図である。
【図２】図１の別の方向の斜視図である。
【図３】図１の分解図である。
【図４】図１の平面図である。
【図５】図４のＡ−Ａ断面図である。
【図６】本考案の実施例が提供する微小電流に基づく美容機器の別の実施例の斜視図である。
【図７】図６の分解図である。
【図８】図６の断面図である。
【図９】本考案の実施例が提供する信号送受信モジュールの回路図である。
【図１０】本考案の実施例が提供する微小電流発生回路の回路原理図である。
【図１１】本考案の実施例が提供する電源モジュールの回路原理図である。
【図１２】本考案の実施例が提供する作動指示灯とブザーの回路図である。
【考案を実施するための形態】
【００１９】
以下、図面と特定の実施例を参照して本考案をさらに説明する。
【実施例】
【００２０】
図１〜１２に示すように、本考案が提供する微小電流に基づく美容機器はハウジング１０を含み、ハウジング１０内には電源モジュール２０と回路基板３０が取り付けられ、回路基板３０には微小電流発生回路４０が設けられ、ハウジング１０にはスイッチボタン５０及び皮膚に直接接触するための導電性シート６０が設けられ、電源モジュール２０は微小電流発生回路４０に電気的に接続され、回路基板３０には微小電流発生回路４０に電気的に接続された導電性部材７０が取り付けられ、導電性部材７０の下端はハウジング１０を貫通して配置された導電性弾性部材８０に接続され、導電性弾性部材８０は導電性シート６０に密接に接触している。
【００２１】
具体的には、回路基板３０には、外部制御ユニットと無線接続するための信号送受信モジュール１００がさらに設けられ、信号送受信モジュール１００は、電源モジュール２０と微小電流発生回路４０にそれぞれ電気的に接続され、信号送受信モジュール１００は、外部制御ユニットから制御信号を受信して微小電流発生回路４０を制御する。ここで、信号送受信モジュール１００は、アンテナを介して外部制御ユニットに無線接続され、外部制御ユニットは、従来の無線リモコンを採用する。
【００２２】
具体的には、回路基板３０には充電シンブル１１０がさらに取り付けられ、美容機器は充電シンブル１１０を介して外部充電デバイスの充電ピンに嵌合接続される。ハウジング１０には充電ポート１０ａが設けられ、充電シンブル１１０は充電ポート１０ａに嵌合して設けられ、ハウジング１０の外側壁には凹陥部が設けられ、充電ポート１０ａは凹陥部内に位置しているため充電しやすい。電源モジュール２０はスイッチ、電池、電源管理チップ、充電回路及び電圧レギュレータチップを含み、充電シンブル１１０、電源管理チップ、充電回路及び電圧レギュレータチップは順番に電気的に接続され、電池とスイッチは充電回路にそれぞれ電気的に接続される。電源モジュール２０は回路基板３０の下端に位置しており、上部ハウジング１１と電源モジュール２０との間には金属板１３０が設けられる。美容機器が外部充電デバイスから落ちるのを防ぐために、外部充電デバイスには磁気作用により金属板１３０に接続された磁気シートが設けられる。ここで、金属板１３０はニッケルメッキ板であるが、ニッケルメッキ板に限定されない。
【００２３】
具体的には、回路基板３０には作動指示灯とブザーがさらに設けられる。
【００２４】
具体的には、導電性シート６０は洗浄が容易で耐酸化性に優れたステンレス鋼板である。導電性部材７０は導電性ネジ又は導電性ボルト又は導電性ロッドであり、導電性部材７０は回路基板３０にねじ接続されるか、又は導電性接着剤により接着され、導電性弾性部材８０は導電性ばね又は導電性弾性シートである。ここで、導電性ばねは導電性ネジの下端に嵌設される。
【００２５】
好ましくは、ハウジング１０の外側に取り付けられた支持板９０をさらに含み、導電性シート６０は支持板９０に取り外し可能に取り付けられ、導電性シート６０から離れた支持板９０の側面には回路基板３０を支持するための支持スリーブ９１が設けられ、支持スリーブ９１はハウジング１０内に挿入設けられ、導電性部材７０と導電性弾性部材８０は嵌合して支持スリーブ９１内に貫通設けられる。
【００２６】
具体的には、支持スリーブ９１は導電性部材７０を嵌合して埋め込み且つ導電性弾性部材８０を嵌合して配置するために使用される、その中心線に沿った貫通穴を有する。支持スリーブ９１の貫通穴内には制限階段が設けられ、導電性弾性部材８０は制限階段に嵌合し、且つ制限階段に制限される。
【００２７】
好ましくは、ハウジング１０には防水構造１２０が設けられる。
【００２８】
具体的には、防水構造１２０は防水シーリングリングと防水ゴムパッドを含み、美容機器の防水・防塵の要件を満たすことができる。
【００２９】
好ましくは、ハウジング１０は取り外し可能に接続された上部ハウジング１１と下部ハウジング１２を含み、導電性シート６０は上部ハウジング１１に取り付けられ、スイッチボタン５０は下部ハウジング１２に移動可能に取り付けられ、下部ハウジング１２にはスイッチボタン５０を嵌合取り付けるための取り付け口が設けられる。
【００３０】
具体的には、回路基板３０と下部ハウジング１２との間には緩衝構造１４０が設けられる。上部ハウジング１１の内側には電池位置決め溝が設けられ、電池は、電池位置決め溝内に嵌合して設けられ、電池位置決め溝内にはニッケルメッキ板用制限溝が設けられ、ニッケルメッキ板はニッケルメッキ板用制限溝内に嵌合して設けられる。
【００３１】
ハウジング１０の一実施形態として、上部ハウジング１１の内側には収容キャビティが設けられ、上部ハウジング１１の外側には位置決め溝が設けられ、支持板９０と導電性シート６０は位置決め溝に嵌合して設けられ、位置決め溝と支持板９０との間には支持スリーブ９１の外側に嵌設された第１防水シーリングリングが設けられて、導電性シート６０を温水で短時間に洗浄するという目的を実現できる。下部ハウジング１２には接続された環状制限リングと環状制限溝が設けられ、上部ハウジング１１は環状制限リングに嵌設され且つねじにより下部ハウジング１２に接続され、下部ハウジング１２にはスイッチボタン５０を嵌合取り付けてねじを遮るためのボトムカバー１３が設けられ、上部ハウジング１１と環状制限溝との間には第２防水シーリングリングが設けられる。回路基板３０と下部ハウジング１２との間にはスイッチボタン５０を防水するための防水ゴムパッドが設けられ、緩衝構造１４０はシーリングリング及びシーリングリングに配置された緩衝リブを含み、防水ゴムパッドの一側はシーリングリングに接続され、防水ゴムパッドの他側は緩衝リブを介してシーリングリングに接続され、それらと導電性ばねはハウジング１０に総合的に作用し、それによりハウジング１０の衝突防止性能を向上させる。下部ハウジング１２は防水ゴムパッドに取り外し可能に接続され、防水ゴムパッドにはスイッチボタン５０に嵌合する押し溝が設けられる。
【００３２】
ハウジング１０の別の実施形態として、違いは以下のとおりである。下部ハウジング１２の内側には収容キャビティが設けられ、上部ハウジング１１には接続された環状制限溝と環状制限溝が設けられ、下部ハウジング１２には環状制限リングが設けられ、環状制限リングは環状制限溝内に嵌合して設けられ、且つハウジングはねじで固定され、下部ハウジング１２には制限スイッチボタン５０に嵌合するボタンカバー１４及びねじを遮るための装飾カバー１５が設けられ、環状制限リングと環状制限溝との間には第３防水シーリングリングが設けられ、防水ゴムパッドにはスイッチボタン５０に嵌合する押し穴が設けられる。
【００３３】
図９〜１２に示すように、Ｕ１は信号送受信モジュール１００であり、Ｕ２は電源管理チップであり、Ｕ４は電圧レギュレータチップであり、ＢＴ１は電池であり、Ｂ１はブザーであり、ＰＡＤＡとＰＡＤＢは導電性シート６０にそれぞれ接続される。
【００３４】
上記は本考案の好ましい実施形態にすぎず、本考案の保護範囲は上記実施例にのみ限定されるものではなく、本考案のアイデアに基づくすべての技術的解決手段はいずれも本考案の保護範囲に属する。当業者であれば、本考案の原理を逸脱することなくいくつかの改善と修正を行うことが可能であり、これらの改善と修正も本考案の保護範囲に含まれるものとすることを指摘すべきである。
【符号の説明】
【００３５】
１０    ハウジング
１０ａ  充電ポート
１１    上部ハウジング
１２    下部ハウジング
１３    ボトムカバー
１４    ボタンカバー
１５    装飾カバー
２０    電源モジュール
３０    回路基板
４０    微小電流発生回路
５０    スイッチボタン
６０    導電性シート
７０    導電性部材
８０    導電性弾性部材
９０    支持板
９１    支持スリーブ
１００    信号送受信モジュール
１１０    充電シンブル
１２０    防水構造
１３０    金属板
１４０    緩衝構造
【図１】
0003230430.tif 000003
【図２】
0003230430.tif 000004
【図３】
0003230430.tif 000005
【図４】
0003230430.tif 000006
【図５】
0003230430.tif 000007
【図６】
0003230430.tif 000008
【図７】
0003230430.tif 000009
【図８】
0003230430.tif 000010
【図９】
0003230430.tif 000011
【図１０】
0003230430.tif 000012
【図１１】
0003230430.tif 000013
【図１２】
0003230430.tif 000014